(57)【要約】      （修正有）【課題】  補強金具の取付けに、接着用のピンや接着テープを必要とすることなく、しかも別体で鍵穴や補強金具を覆うカバーを設ける必要がない盗難防止鍵取付け構造を提供する。【解決手段】  プロジェクタに形成され盗難防止鍵を取付ける盗難防止鍵取付け構造であって、プロジェクタには盗難防止鍵が挿入可能な鍵穴が形成され、筐体２ｂの内壁部には補強金具取付け部５が一体的に設けられ、補強金具取付け部５は補強金具用嵌合部を備え、補強金具８は取付け部用嵌合部を備えるとともに、筐体２ｂの内壁部と対向する面が形成され、その面に鍵穴と略同形状で且つ盗難防止鍵が挿入可能な貫通孔が形成され、補強金具用嵌合部と取付け部用嵌合部とを着脱可能に構成し、装着状態で鍵穴と貫通孔とが対向配置するものとする。【選択図】          図５
2005057022.tif 000002
【特許請求の範囲】
【請求項１】
携帯可能な商品の筐体の一部に形成され、別体で構成され商品に固定される係合部を備えた盗難防止鍵を取付ける盗難防止鍵取付け構造であって、
商品の筐体の一部には、盗難防止鍵の係合部が挿入可能な取付け孔が形成され、前記取付け孔が形成される筐体の内壁部には、別体で構成され内壁部に重なり配置される補強金具を取付ける補強金具取付け部が一体的に設けられ、
前記補強金具取付け部は、補強金具の一部が取付けられる補強金具用嵌合部を備え、
前記補強金具は、前記補強金具用嵌合部に対応する部分に取付け部用嵌合部を備えるとともに、筐体の内壁部と対向する面が形成され、その面に筐体に形成された取付け孔と略同形状で且つ盗難防止鍵の係合部が挿入可能な貫通孔が形成され、
補強金具取付け部の補強金具用嵌合部と補強金具の取付け部用嵌合部とを着脱可能に構成するとともに、装着状態で筐体の取付け孔と補強金具の貫通孔とが対向配置することを特徴とする盗難防止鍵取付け装置。
【請求項２】
前記補強金具取付け部は、補強金具を取付けた状態で該補強金具を包囲するように筐体の内側にリブ体を突設して成り、補強金具を補強金具取付け部内に挿入するための開口部を備え、補強金具を取付けた状態で前記リブ体により補強金具を包囲するとともに、該補強金具の一部で前記開口部を閉塞して、筐体の内壁部と対向する面を覆うことを特徴とする請求項１に記載の盗難防止鍵取付け構造。
【請求項３】
前記補強金具は、ばね性を備えた材料で形成されたことを特徴とする請求項１または２に記載の盗難防止鍵取付け装置。
【発明の詳細な説明】
【技術分野】
【０００１】
本発明は、盗難防止鍵取付け構造に関し、特に携帯可能な商品を店頭に展示する際に、商品の盗難を防止するための鍵を取付ける盗難防止鍵取付け構造に関するものである。
【背景技術】
【０００２】
従来の技術としては、携帯可能な商品を店頭展示する場合、商品の盗難を防止するために鍵を取付けたものが知られている。この盗難防止用の鍵は、一端部を商品に取付け、他端部を店内に固定された金属製のワイヤやコイル状のプラスチックコードと連結して、商品をある範囲で自由に手に取って見ることができるが、持ち去ることができないようになっている。
【０００３】
この鍵４は、例えば、図８に示すように、円柱形状を呈し、一方端面の略中央部にガイドピン４ａおよびそれと平行に配設されたフック部４ｂが突設されている。この鍵４を商品１００に取付ける場合、例えば、図１１、図１２に示すように、商品１００の後部１００ａに設けられた取付け部１０５の鍵穴１０３に鍵４のガイドピン４ａとフック部４ｂを挿入して固定するようにしている。
【０００４】
しかしながら、商品１００の鍵４の取付け部１０５は、鍵４の鍵穴１０３に挿入されたフック部４ｂを強く引張ると、商品１００を形成しているプラスチック製の筐体１０２の鍵穴１０３が破損するという問題があった。
【０００５】
そこで、筐体の破損を防止するために、図１４、図１５に示すように、筐体１０２の内側に金属製の補強金具１０８を取付けるようにしたものが知られている。
【０００６】
この補強金具１０８は、図１６（ａ）、（ｂ）に示すように、矩形状の金属板で構成され、その略中央部に鍵穴１０３と同形状の貫通孔１０８ａが形成されるとともに、該貫通孔１０８ａを挟んで図中上下方向の両端部の２箇所に位置決め用の取付け孔１０８ｂが形成されている。
【発明の開示】
【発明が解決しようとする課題】
【０００７】
しかしながら、この補強金具１０８を固定する場合、両面テープにより筐体に接着するか、図１５に示すように、取付け孔１０８ｂに対応する取付けピン１０３ｂを筐体より突出させて、該取付けピン１０３ｂに取付け孔１０８ｂを取付けた状態で取付けピン１０３ｂと取付け孔１０８ｂとを溶着により取付けるという方法がとられているが、補強金具１０８の取付け作業が煩雑となるという問題点があった。
【０００８】
また、従来の方式では、鍵穴１０３から内部構造まで筐体が貫通しているため、内部への光漏れや内部からの光漏れ、さらに内部への異物混入などを防止するために、図１３〜図１５に示すように、筐体１０２内側で補強金具１０８とともに鍵穴１０３を覆う孔カバー１０６を筐体内部に取付ける必要があった。
【０００９】
本発明は、上記従来の問題点に鑑みてなされたものであり、補強金具の取付けに、接着用のピンや接着テープを必要とすることなく、しかも別体で鍵穴や補強金具を覆うカバーを設ける必要がない盗難防止鍵取付け構造を提供することを目的とするものである。
【課題を解決するための手段】
【００１０】
本発明は、補強金具取付け構造に係り、携帯可能な商品の筐体の一部に形成され、別体で構成され商品に固定される係合部を備えた盗難防止鍵を取付ける盗難防止鍵取付け構造であって、商品の筐体の一部には、盗難防止鍵の係合部が挿入可能な取付け孔が形成され、前記取付け孔が形成される筐体の内壁部には、別体で構成され内壁部に重なり配置される補強金具を取付ける補強金具取付け部が一体的に設けられ、前記補強金具取付け部は、補強金具の一部が取付けられる補強金具用嵌合部を備え、前記補強金具は、前記補強金具用嵌合部に対応する部分に取付け部用嵌合部を備えるとともに、筐体の内壁部と対向する面が形成され、その面に筐体に形成された取付け孔と略同形状で且つ盗難防止鍵の係合部が挿入可能な貫通孔が形成され、補強金具取付け部の補強金具用嵌合部と補強金具の取付け部用嵌合部とを着脱可能に構成するとともに、装着状態で筐体の取付け孔と補強金具の貫通孔とが対向配置することを特徴とするものである。
【００１１】
このように構成することで、携帯可能な商品の筐体の一部に形成され、別体で構成され商品に固定される係合部を備えた盗難防止鍵を取付ける盗難防止鍵取付け構造において、盗難防止鍵を取付ける部分を補強するにあたり、接着ピンや接着テープ等を用いることなく、簡単に補強金具を取付けることができる。
【００１２】
また、前記補強金具取付け部は、補強金具を取付けた状態で該補強金具を包囲するように筐体の内側にリブ体を突設して成り、補強金具を補強金具取付け部内に挿入するための開口部を備え、補強金具を取付けた状態で前記リブ体により補強金具を包囲するとともに、該補強金具の一部で前記開口部を閉塞して、筐体の内壁部と対向する面を覆うようにすることが好ましい。
【００１３】
このように構成することで、例えば、補強金具をコ字状もしくはＵ字状に構成し、曲げられた面により補強金具取付け部に形成された開口部を閉塞することで、商品の筐体の内側で補強金具取付け部と補強金具とにより、内壁部に対向する面に形成された盗難防止鍵の鍵穴を塞ぐことができるので、別体でカバーを設ける必要がない。
【００１４】
さらに、前記補強金具は、ばね性を備えた材料で形成されることが好ましい。このように構成することで、補強金具と補強金具取付け部との嵌合を補強金具のばね性を利用して行えるので、構成を簡潔にして部品点数を削減できるとともに、ワンタッチ装着を可能にして組付け性の向上を図ることができる。
【発明の効果】
【００１５】
本発明の盗難防止鍵取付け構造によれば、補強金具の取付けに、接着用のピンや接着テープを必要とすることなく、簡単な構成で且つ容易に補強金具を取付けることができる。しかも、別体で鍵穴や補強金具を覆うカバーを設ける必要がないので部品点数を削減でき、これによりコストの低減、組付け性の向上を図ることができるという優れた効果を奏し得る。
【００１６】
詳しくは、本発明によれば、携帯可能な商品の筐体の一部に形成され、別体で構成され商品に固定される係合部を備えた盗難防止鍵を取付ける盗難防止鍵取付け構造であって、商品の筐体の一部には、盗難防止鍵の係合部が挿入可能な取付け孔が形成され、前記取付け孔が形成される筐体の内壁部には、別体で構成され内壁部に重なり配置される補強金具を取付ける補強金具取付け部が一体的に設けられ、前記補強金具取付け部は、補強金具の一部が取付けられる補強金具用嵌合部を備え、前記補強金具は、前記補強金具用嵌合部に対応する部分に取付け部用嵌合部を備えるとともに、筐体の内壁部と対向する面が形成され、その面に筐体に形成された取付け孔と略同形状で且つ盗難防止鍵の係合部が挿入可能な貫通孔が形成され、補強金具取付け部の補強金具用嵌合部と補強金具の取付け部用嵌合部とを着脱可能に構成するとともに、装着状態で筐体の取付け孔と補強金具の貫通孔とが対向配置することで、携帯可能な商品の筐体の一部に形成され、別体で構成され商品に固定される係合部を備えた盗難防止鍵を取付ける盗難防止鍵取付け構造において、盗難防止鍵を取付ける部分を補強するにあたり、接着ピンや接着テープ等を用いることなく、簡単に補強金具を取付けることができる。
【００１７】
また、前記補強金具取付け部の構成を、補強金具を取付けた状態で該補強金具を包囲するように筐体の内側にリブ体を突設して成り、補強金具を補強金具取付け部内に挿入するための開口部を備え、補強金具を取付けた状態で前記リブ体により補強金具を包囲するとともに、該補強金具の一部で前記開口部を閉塞して、筐体の内壁部と対向する面を覆うようにすることで、例えば、補強金具をコ字状もしくはＵ字状に構成し、曲げられた面により補強金具取付け部に形成された開口部を閉塞して、商品の筐体の内側で補強金具取付け部と補強金具とにより、内壁部に対向する面に形成された盗難防止鍵の鍵穴を塞ぐことができるので、別体でカバーを設ける必要がない。
【００１８】
さらに、前記補強金具を、ばね性を備えた材料で形成することで、補強金具と補強金具取付け部との嵌合を補強金具のばね性を利用して行えるので、構成を簡潔にして部品点数を削減できるとともに、ワンタッチ装着を可能にして組付け性の向上を図ることができる。
【発明を実施するための最良の形態】
【００１９】
以下、本発明の実施の形態について図面を参照して詳細に説明する。
【００２０】
図１〜図１０は発明を実施する形態の一例であって、図１は本発明に係る実施形態の盗難防止鍵取付け構造が採用されたプロジェクタの正面斜視図、図２は前記プロジェクタの後面斜視図、図３は前記プロジェクタに盗難防止鍵を取付けた状態を示す後面斜視図、図４は前記プロジェクタの盗難防止鍵取付け構造の全体構成を示す下側筐体の分解斜視図、図５は前記盗難防止鍵取付け構造の説明図、図６は前記盗難防止鍵取付け構造の構成を示す詳細説明図、図７の（ａ）、（ｂ）は前記盗難防止鍵取付け構造を構成する補強金具の構成を示す説明図、図８は本実施形態に係る盗難防止鍵の構成を示す斜視図、図９は前記盗難防止鍵取付け構造の構成を示す部分断面図、図１０は盗難防止鍵を装着した盗難防止鍵取付け構造の構成を示す部分断面図である。図中、同一の符号を付した部分は同一物を表わしており、基本的な構成は図に示す従来のものと同様である。
【００２１】
本実施形態は、図１〜図３に示すように、携帯可能なプロジェクタ１に本発明に係る盗難防止鍵取付け構造を採用したものであって、プロジェクタ１の筐体２の後面に盗難防止鍵４を装着可能な取付け孔たる鍵穴３を形成したものである。
【００２２】
前記プロジェクタ１の筐体２は、図１〜図４に示すように、上部筐体２ａと下部筐体２ｂとで構成され、組合せた状態で高さ方向に低い箱状を呈している。プロジェクタ１の正面にはレンズ１ａが設けられ、下部筐体２ｂの後面２ｂ１の内側には盗難防止鍵４を装着可能な鍵穴３が形成されている。
【００２３】
盗難防止鍵４は、図８に示すように、円柱形状を呈し、その一方端面の略中央部にガイドピン４ａおよび該ガイドピン４ａと平行に配設されたフック部４ｂが突設されている。
【００２４】
鍵穴３は、図４〜図６に示すように、下部筐体２ｂの後面２ｂ１に形成され、盗難防止鍵４のガイドピン４ａとフック部４ｂとが挿入可能に構成されている。
【００２５】
下部筐体２ｂの鍵穴３が形成される内壁部には、別体で構成される補強金具８が取付けられる補強金具取付け部５が一体的に設けられている。
【００２６】
補強金具８は、図５、図７（ａ）、（ｂ）に示すように、ステンレスなどのばね性を有する材料を使用し、平面視で矩形状に形成され、且つ側面視で一方側を開放されたコ字状に曲げ形成されている。
【００２７】
この補強金具８の一端面８ａを筐体の内壁部と対向する面とし、その一端面８ａの略中央部に筐体２に形成された鍵穴３と略同形状で且つ盗難防止鍵４のガイドピン４ａとフック部４ｂとが挿入可能な貫通孔８ｂが形成されている。
【００２８】
前記一端面８ａに対向して他端面８ｃが曲げ形成されている。他端面８ｃは、図７（ａ）、（ｂ）に示すように、一端面８ａと略平行に形成され、曲げ位置の両端近くに位置決め部８ｄが幅方向外側に向かい翼状に突出形成されるとともに、略中央部には補強金具取付け部５に挿入されたときに該筐体の一部と係合する取付け部用嵌合部８ｅが形成されている。前記取付け部用嵌合部８ｅは、筐体２側に設けられた嵌合部に引っ掛かるために外側に突出して曲げ形成されている。
【００２９】
補強金具取付け部５は、図６に示すように、下部筐体２ｂの後面２ｂ１に沿って底部２ｂ２から鍵穴３付近まで延設され、その鍵穴３付近を包囲するとともに補強金具８が挿入されるリブ体５ａで構成されている。
【００３０】
リブ体５ａは、一側面側を下部筐体２ｂの後面２ｂ１として内部に空間を形成した平面視で矩形状に形成され、その上部は補強金具８を挿入するための開口部５ｂが形成されている。
【００３１】
リブ体５ａの後面２ｂ１と対向する面５ａ１には、補強金具８の取付け部用嵌合部８ｅが嵌合する補強金具用嵌合部５ｅが開口形成されている。また、リブ体５ａの両側面５ａ２、５ａ３の端縁近傍には、補強金具８の位置決め部８ｄが挿入される切欠部５ｄ、５ｄが形成されている。
【００３２】
補強金具取付け部５は、その内部に補強金具８を装着した時、補強金具の貫通孔８ｂと筐体の鍵穴３とが一致するように構成されている。
【００３３】
そして、補強金具取付け部５は、補強金具８の側方および下方を包囲するとともに、補強金具８の一側面８ｆにより開口部５ｂを閉塞して、下部筐体２ｂの鍵穴３が形成される内壁部を覆うようにされている。
【００３４】
ここで、補強金具取付け部５への補強金具８の着脱操作について図面を参照して説明する。
【００３５】
まず、補強金具８を補強金具取付け部５に装着する場合、図５、図６に示すように、補強金具取付け部５の上部の開口部５ｂより補強金具８を挿入する。
【００３６】
補強金具８は、位置決め部８ｄが切欠部５ｄに挿入されて該切欠部５ｄの底部５ｄ１に当接することで位置決めされる。この時、取付け部用嵌合部８ｅと補強金具用嵌合部５ｅとが一致し嵌合するとともに、補強金具８のばね性による反発力で補強金具８が補強金具取付け部５内に押し付けられることで固定される。この状態で、補強金具８の貫通孔８ｂと下部筐体２ｂの鍵穴３とが一致している。
【００３７】
補強金具取付け部５から補強金具８を取外す場合は、図６、図７（ａ）、（ｂ）に示すように、補強金具用嵌合部５ｅに嵌合している取付け部用嵌合部８ｅを押し込むことで嵌合状態が解除されるので、取付け部用嵌合部８ｅを押しながら位置決め部８ｄを摘んで引き抜くだけで、簡単に補強金具取付け部５から補強金具８を引き出すことができる。
【００３８】
次に、盗難防止鍵のプロジェクタへの装着について図面を参照して説明する。
【００３９】
盗難防止鍵のプロジェクタへの装着する場合、図９、図１０に示すように、プロジェクタ１の下部筐体２ｂの後面２ｂ１に形成された鍵穴３に盗難防止鍵４のガイドピン４ａおよびフック部４ｂを挿入する。
【００４０】
そして、盗難防止鍵４のロック操作を行い、図１０に示すように、盗難防止鍵４の本体先端部とフック部４ｂとにより下部筐体２ｂとともに補強金具８を挟み込むことで、プロジェクタ１に盗難防止鍵４を固定することができる。
【００４１】
以上のように構成したので、本実施形態によれば、補強金具取付け部５を下部筐体２ｂと一体に構成し、補強金具８を別体で構成したので、簡単な構成で容易に補強金具８を補強金具取付け部５に装着することができる。
【００４２】
また、本実施形態によれば、補強金具取付け部５を、下部筐体２ｂの後面２ｂ１に沿って底部２ｂ２から鍵穴３付近まで延設し、その鍵穴３付近を包囲するようにリブ体５ａで構成したので、補強金具８を補強金具取付け部５に装着した状態で、補強金具８の一部と補強金具取付け部５とにより鍵穴３に連通する貫通孔８ｂを覆うことができる。
【００４３】
尚、本発明の盗難防止鍵取付け構造は、上述の図示例にのみ限定されるものではなく、本発明の要旨を逸脱しない範囲内において種々変更を加え得ることは勿論である。
【００４４】
例えば、本実施形態では、盗難防止鍵取付け構造を構成する補強金具取付け部５を、図中の上方より補強金具８を挿入するようにしているが、本発明は補強金具取付け部の構成に限定されるものではなく、補強金具取付け部の側方より挿入するようにしたものであっても良い。
【００４５】
また、本発明は、補強金具のばね性を利用して補強金具取付け部内部で保持するものであれば、本実施形態で開示された補強金具の形状に限定されるものではない。
【図面の簡単な説明】
【００４６】
【図１】本発明に係る実施形態の盗難防止鍵取付け構造が採用されたプロジェクタの正面斜視図である。
【図２】前記プロジェクタの後面斜視図である。
【図３】前記プロジェクタに盗難防止鍵を取付けた状態を示す後面斜視図である。
【図４】前記プロジェクタの盗難防止鍵取付け構造の全体構成を示す下側筐体の分解斜視図である。
【図５】前記盗難防止鍵取付け構造の説明図である。
【図６】前記盗難防止鍵取付け構造の構成を示す詳細説明図である。
【図７】前記盗難防止鍵取付け構造を構成する補強金具の構成を示す説明図である。
【図８】本実施形態に係る盗難防止鍵の構成を示す斜視図である。
【図９】前記盗難防止鍵取付け構造の構成を示す部分断面図である。
【図１０】盗難防止鍵を装着した状態の盗難防止鍵取付け構造の構成を示す部分断面図である。
【図１１】従来のプロジェクタの構成を示す正面斜視図である。
【図１２】従来のプロジェクタの後面斜視図である。
【図１３】従来のプロジェクタの盗難防止鍵取付け構造の全体構成を示す下側筐体の分解斜視図である。
【図１４】従来の盗難防止鍵取付け構造の説明図である。
【図１５】従来の盗難防止鍵取付け構造の構成を示す詳細説明図である。
【図１６】（ａ）、（ｂ）は従来の補強金具の形状を示す説明図である。
【図１７】（ａ）、（ｂ）は従来のカバーの形状を示す説明図である。
【符号の説明】
【００４７】
１  プロジェクタ
２  筐体
２ａ  上部筐体
２ｂ  下部筐体
３  鍵穴
４  盗難防止鍵
４ａ  ガイドピン
４ｂ  フック部
５  補強金具取付け部
５ａ  リブ体
５ｂ  開口部
５ｅ  補強金具用嵌合部
８  補強金具
８ｂ  貫通孔
【図１】
2005057022.tif 000003
【図２】
2005057022.tif 000004
【図３】
2005057022.tif 000005
【図４】
2005057022.tif 000006
【図５】
2005057022.tif 000007
【図６】
2005057022.tif 000008
【図７】
2005057022.tif 000009
【図８】
2005057022.tif 000010
【図９】
2005057022.tif 000011
【図１０】
2005057022.tif 000012
【図１１】
2005057022.tif 000013
【図１２】
2005057022.tif 000014
【図１３】
2005057022.tif 000015
【図１４】
2005057022.tif 000016
【図１５】
2005057022.tif 000017
【図１６】
2005057022.tif 000018
【図１７】
2005057022.tif 000019